(57)【特許請求の範囲】
【請求項１】
底部側壁にカード取出口を有し、内部に複数のカードを積載して収容するカード収容部と、
前記カード収容部の両側内壁にカード積載方向に列設され、上方に斜面を向けて形成された鋸状の係止部と、
前記カード収容部の両側内壁の前記係止部に係合する鋸状の係合部を有するカード押さえ部材と、
前記カード収容部内に積載されて前記カード押さえ部材により押さえられた複数のカードの下に配置され、前記カード取出口より突出する舌片部を有するカード保護部材と
を具備したことを特徴とするカード収容装置。
【請求項２】
底部側壁にカード取出口を有し、内部に複数のカードを積載して収容するカード収容部と、
前記カード収容部の両側内壁にカード積載方向に列設され、上方に斜 面を向けて形成された鋸状の係止部と、
前記カード収容部の両側内壁の前記係止部に係合する鋸状の係合部を有するカード押さえ部材と、
前記カード収容部内に積載された複数のカードの上に配置され、前記カード押さえ部材により押さえられる第１のカード保護部材と、
前記カード収容部内に積載されて前記カード押さえ部材により押さえられた複数のカードの下に配置され、前記カード取出口より突出する舌片部を有する第２のカード保護部材と
を具備したことを特徴とする カード収容装置。
【請求項３】
底部側壁にカード取出口を有し、内部に複数のカードを積載して収容するカード収容部と、
前記カード収容部の両側内壁にカード積載方向に列設され、上方に斜 面を向けて形成された鋸状の係止部と、
前記カード収容部の両側内壁の前記係止部に係合する鋸状の係合部を有するカード押さえ部材と、
前記カード収容部内に積載されて前記カード押さえ部材により押さえられた複数のカードの下に配置され、前記カード取出口より突出する舌片部を有するカード保護部材と、
前記カード押さえ部材の上に載せられ、前記係合部が前記係止部に係合する力よりも少なくとも重く設定された加重部材と
を具備したことを特徴とするカード収容装置。
【請求項４】
底部側壁にカード取出口を有し、内部に複数のカードを積載して収容するカード収容部と、
前記カード収容部の両側内壁にカード積載方向に列設され、上方に斜面を向けて形成された鋸状の係止部と、
前記カード収容部の両側内壁の前記係止部に係合する鋸状の係合部を有するカード押さえ部材と、
前記カード収容部内に積載された複数のカードの上に配置され、前記カード押さえ部材により押さえられる第１のカード保護部材と、
前記カード収容部内に積載されて前記カード押さえ部材により押さえられた複数のカードの下に配置され、前記カード取出口より突出する舌片部を有する第２のカード保護部材と、
前記カード押さえ部材の上に載せられ、前記係合部が前記係止部に係合する力よりも少なくとも重く設定された加重部材と
を具備したことを特徴とするカード収容装置。
【発明の詳細な説明】
【０００１】
【発明の属する技術分野】
本発明は、例えばカード製造機などによって作られたプリペイドカードなどを収容するカード収容装置に関する。
【０００２】
【従来の技術】
カード製造機などで製造したプリペイドカードなどは、その表面に印刷されている衣装面でも重要な価値があり、ユーザの手に渡るまでは傷などが付かぬよう保護する必要がある。
【０００３】
従来、カード製造機にて製造されたプリペイドカードは、カード収容装置、つまりカードカートリッジに数１００枚という単位で積載して収容され、プリペイドカード販売機などの設置されている場所まで搬送される。
【０００４】
プリペイドカード販売機には、カートリッジ受け部が設けられているので、カードカートリッジはカートリッジ受け部にそのままセットすることができる。
【０００５】
ところで、カードカートリッジを搬送する際には、カードカートリッジに振動や衝撃が加えられる。このため、カードカートリッジ内部に積載した状態で収容されているプリペイドカードは互いに擦れたりして傷つくことがある。
【０００６】
そこで、従来は、カードカートリッジ内におけるプリペイドカードどうしのばたつきを無くすため、数１００枚という単位のプリペイドカードを紐などで一括りにして縛り、梱包した上でカードカートリッジ内に収容していた。
【０００７】
【発明が解決しようとする課題】
しかしながら、この場合、カードカートリッジをプリペイドカード販売機のある場所まで搬送した後、カードカートリッジの蓋を開けて、プリペイドカードの梱包状態を解除（開封）した上でプリペイドカード販売機にセットしなければならず、せっかくのセット構造が有効に活用できないという問題があった。
【０００８】
また、プリペイドカードを搬送前、つまりカードカートリッジに収容するときに梱包したり、搬送後にカードカートリッジの蓋を開けて開封するという作業が増えて、作業効率が至って悪いという問題もあった。
【０００９】
さらに、いくらプリペイドカードを縛って搬送したとしても、最下部のプリペイドカードの下面はカードカートリッジの底面に接しており、搬送中の揺れなどで擦れるため、プリペイドカードが傷付くことがあるという問題もあった。
【００１０】
本発明はこのような課題を解決するためになされたもので、カードを容易に収容できると共に搬送中におけるカードの傷付きを防止し、搬送後も容易にセットすることができるカード収容装置およびカード保護部材を提供することを目的としている。
【００１５】
【課題を解決するための手段】
上記した目的を達成するために、請求項１記載のカード収容装置は、底部側壁にカード取出口を有し、内部に複数のカードを積載して収容するカード収容部と、前記カード収容部の両側内壁にカード積載方向に列設され、上方に斜面を向けて形成された鋸状の係止部と、前記カード収容部の両側内壁の前記係止部に係合する鋸状の係合部を有するカード押さえ部材と、前記カード収容部内に 積載されて前記カード押さえ部材により押さえられた複数のカードの下に配置され、前記カード取出口より突出する舌片部を有するカード保護部材とを具備したことを特徴としている。
【００１６】
請求項１記載の発明では、カード収容部の底部にカード保護部材を敷いた後、カードを積載し、カード収容部の両側内壁の係止部にカード押さえ部材の鋸状の係 合部を係合させてカード押さえ部材を上方から押し込むだけで、カードを固定できる。また、カードの下にカード保護部材を配置したことにより、搬送時に、最 下部のカードの面がカード収容部の底面に擦れて傷付つくことがなくなる。
【００１７】
さらに、搬送後、カード取出口からカード保護部材をその舌片部を持って引き出すだけでセットの準備が終り、カード収容装置を容易にセットすることができる。
【００１８】
請求項２記載のカード収容装置は、底部側壁にカード取出口を有し、内部に複数のカードを積載して収容するカード収容部と、前記カード収容部の両側内壁にカード積載方向に列設され、上方に斜 面を向けて形成された鋸状の係止部と、前記カード収容部の両側内壁の前記係止部に係合する鋸状の係合部を有するカード押さえ部材と、前記カード収容部内に 積載された複数のカードの上に配置され、前記カード押さえ部材により押さえられる第１のカード保護部材と、前記カード収容部内に積載されて前記カード押さえ部材により押さえられた複数のカードの下に配置され、前記カード取出口より突出する舌片部を有する第２のカード保護部材とを具備したことを特徴としている。
【００１９】
請求項２記載の発明では、カード収容部の底部に第２のカード保護部材を敷いた後、カードを積載し、その上に第１のカード保護部材を載せた上で、カード収容部の両側内壁の係止部に カード押さえ部材の鋸状の係合部を係合させてカード押さえ部材を上方から押し込めことでカードを固定できる。また、カードの上下に第１および第２のカード 保護部材を配置したことにより、搬送時に最上部および最下部のカードの面がカード収容部の底部および天井部に擦れて傷付つくことがなくなる。さらに、搬送 後、カード取出口から第２のカード保護部材をその舌片部を持って引き出すだけでセットの準備が終り、カード収容装置を容易にセットすることができる。
【００２０】
請求項３記載のカード収容装置は、底部側壁にカード取出口を有し、内部に複数のカードを積載して収容するカード収容部と、前記カード収容部の両側内壁にカード積載方向に列設され、上方に斜 面を向けて形成された鋸状の係止部と、前記カード収容部の両側内壁の前記係止部に係合する鋸状の係合部を有するカード押さえ部材と、前記カード収容部内に 積載されて前記カード押さえ部材により押さえられた複数のカードの下に配置され、前記カード取出口より突出する舌片部を有するカード保護部材と、前記カー ド押さえ部材の上に載せられ、前記係合部が前記係止部に係合する力よりも少なくとも重く設定された加重部材とを具備したことを特徴としている。
【００２１】
請求項３記載の発明では、カード収容部の底部にカード保護部材を敷き、カードを積載した後、カード収容部の両側内壁の係止部にカード押さえ部材の鋸状の係合部を係合させてカード押 さえ部材を上方から押し込むだけでカードを固定できる。また、カード押さえ部材の上に加重部材を載せることによって、カードの減りに伴って、カード押さえ 部材が下がるので、常にカードを固定しておくことができる。
【００２２】
請求項４記載のカード収容装置は、底部側壁にカード取出口を有し、内部に複数のカードを積載して収容するカード収容部と、前記カード収容部の両側内壁にカード積載方向に列設され、上方に斜 面を向けて形成された鋸状の係止部と、前記カード収容部の両側内壁の前記係止部に係合する鋸状の係合部を有するカード押さえ部材と、前記カード収容部内に 積載された複数のカードの上に配置され、前記カード押さえ部材により押さえられる第１のカード保護部材と、前記カード収容部内に積載されて前記カード押さ え部材により押さえられた複数のカードの下に配置され、前記カード取出口より突出する舌片部を有する第２のカード保護部材と、前記カード押さえ部材の上に載せられ、前記係合部が前記係止部に係合する力よりも少なくとも重く設定された加重部材とを具備したことを特徴としている。
【００２３】
請求項４記載の発明では、カード収容部の底部に第２のカード保護部材を敷いた後、カードを積載し、その上に第１のカード保護部材を載せた上で、カード収容部の両側内壁の係止部に カード押さえ部材の鋸状の係合部を係合させてカード押さえ部材を上方から押し込めことでカードを固定できる。また、カード押さえ部材の上に加重部材を載せることによって、カードの減りに伴って、カード押さえ部材が下がるので、常にカードを固定しておくことができる。
【００２４】
さらに、カードの上下に第１および第２のカード保護部材を配置したことにより、搬送時に最上部および最下部のカードの面がカード収容部の底部および天井部に擦れて傷付つくことがなくなる。また、搬送後、カード取出口から第２のカード保護部材をその舌片部を持って引き出すだけでセットの準備が終り、カード収容装置を容易にセットすることができる。
【００３０】
この結果、カードをカード収容装置に容易に収容できると共に搬送中におけるカードの傷付きを防止し、搬送後もカード収容装置を容易にセットすることができる。
【００３１】
【発明の実施の形態】
以下、本発明の実施の形態を図面を参照して詳細に説明する。
【００３２】
図１は本発明に係る一つの実施形態のカードカートリッジ（以下カートリッジと称す）の構成を示す図である。
【００３３】
図１、図２に示すように、カートリッジ１は、底部側壁にカード取出口１ａを有し、内部に複数のカード、例えばプリペイドカードＺ（以下カードＺと称す）などを積載して収容するものである。このカートリッジ１は樹脂成形によって作られており、裏面（図２の右側）に、同じように樹脂で作られた蓋が装着されるユニット構造になっている。この図２は蓋をはずした状態の図である。
【００３４】
このカートリッジ１の両側内壁には、鋸状の係止部２がカード積載方向に列設されている。鋸状の係止部２は上方に斜面を向けて形成されている。カートリッジ１の両側内壁の係止部２には、カード押さえ部材３が取り付けられている。このカード押さえ部材３はカートリッジ１の両側内壁の係止部２に係合する鋸状の係合部４を有している。カートリッジ１内に積載された複数のカードＺの上には第１のカード保護部材としてスペーサ５が配置されている。このスペーサ５はカード押さえ部材３によって押さえられている。カートリッジ１内の底部には、収容された複数のカードＺの下に第２のカード保護部材としてのスペーサ６が配置されている。カード押さえ部材３の上には、加重部材としてのカード用おもり７が載されている。このカード用おもり７はカード押さえ部材３の係合部４がカートリッジ１の両側内壁の係止部２に係合する力よりも少なくとも重く設定されている。
【００３５】
図３に示すように、スペーサ６はカード取出口１ａより突出する舌片部６ａと、この舌片部６ａに設けられた引き抜き用の穴６ｂとを有している。スペーサ６自体は厚さが約1mm 程度のポリプロピレンなどの樹脂材料で作られており、その表面および裏面はカードＺの表面に対して摩擦が少ないものである。なおこのスペーサ６とスペーサ５との違いは、舌片部６ａの有無だけである。
【００３６】
図４に示すように、カートリッジ１の両側内壁に列設された鋸状の係止部２とカード押さえ部材３の鋸状の係合部４とは互いにかみ合うように係合しており、カード押さえ部材３は下方にずらすことは可能なものの上方にはずれない構造になっている。
【００３７】
このカートリッジ１では、カートリッジ１にカードＺを収容する場合、初めにスペーサ６の舌片部６ａをカード取出口１から出すようにしてスペーサ６をカートリッジ１の底部にあてがい、その後、スペーサ６の上にカードＺを積み重ねて収容する。
【００３８】
そして、最上部のカードＺの上にスペーサ５を載せた上で、カード押さえ部材３をスペーサ５の上に装着し、下方向へ押し込むことにより、カートリッジ１の両側内壁に列設された鋸状の係止部２に係合しているカード押さえ部材３の鋸状の係合部４が下へずれて移動し、そのピッチ間隔で積載したカードＺが固定される。
【００３９】
カードＺの厚みが例えば0.5mm ±0.2mm 程度であり、スペーサ５が約1mm 程度であるのに対して、鋸状の係止部２のピッチは2mm 程度であるため、カードＺの枚数によっては、カード押さえ部材３と最上端のスペーサ５との間に若干余裕ができる。そこで、カード押さえ部材３の上からカード用おもり７を載せて、カード押さえ部材３と共にスペーサ５を介してカードＺに対して常に上方から加重をかけて付勢しておく。最後にカートリッジ１の裏面に蓋をして搬送可能になる。
カートリッジ１を搬送中は、積載されているカードＺに常に加重がかかっているので、カートリッジ１内でカードＺどうしがばたつくことがない。また、最上部のカードＺの上にはスペーサ５が載せられており、最下部のカードＺの下にはスペーサ６が敷かれているので、末端部に配置されたカードＺの面も保護される。  搬送後、カートリッジ１をカード販売機などにセットする際は、カートリッジ１のカード取出口１ａから突出しているスペーサ６の舌片部６ａに設けられている引き出し用の穴６ｂに指をかけてスペーサ６を引き出す操作を行うだけで、セットの準備が終り、カートリッジ１をカード販売機のカートリッジ受け部にあてがいセットすれば良い。
【００４０】
カード販売機でカードＺが販売されてカートリッジ１内のカードＺの積載量が減ってくると、カード用おもり７の加重でカード押さえ部材３が落ちてくるので、常に上からのカードＺの付勢状態が維持され、カードがなくなる前に（販売途中で）カード販売機からカートリッジ１を取り外しても、内部でカードＺがばたつくこともない。
【００４１】
このようにこの実施形態のカートリッジ１によれば、カートリッジ１の底部にスペーサ６を敷き、ばらのカードＺを積載収容した後、最上部にスペーサ５を載せてカード押さえ部材３をあてがい押し込むだけでカードＺを固定できるので、従来のようにカードＺを予めまとめて縛るといった梱包作業を行うことなくカートリッジ１に容易に収容することができる。
【００４２】
また、最下部のカードＺの下にスペーサ６を敷き、最上部のカードＺの上にスペーサ５を載せたことで搬送中に末端部のカードＺの表面または裏面に傷が付くことがなくなる。また、擦れなどがなくなることからゴミの発生も低減することができる。
【００４３】
さらに、カートリッジ１を搬送後もスペーサ６の引き出し用の穴６ｂに指をかけてスペーサ６を引き出すだけで、セットの準備ができ、カートリッジ１をカード販売機に容易にセットすることができる。
【００４４】
なお、上記実施形態では、カードとして、プリペイドカードＡなどを例示したが、この他、キャッシュカードやクレジットカード、ＩＣカード、トランプ、円板状の例えばＣＤ−ＲＯＭなどにも適用することができる。
【００４５】
【発明の効果】
以上説明したように本発明によれば、カード収容部に係止部を設けると共にこの係止部に係合し、下方のみに移動可能なカード押さえ部材を設けたことにより、カード収容装置にカードを容易に収容できる。
【００４６】
また、末端部のカードの上下に低摩擦のカード保護部材を配置すると共に、カード押さえ部材の上に加重部材を載せたことでカード収容部内では常にカードが上から付勢されてカードが固定されるので、搬送中におけるカードの傷付きを防止することができる。
【００４７】
さらに、搬送後は、カードの下に敷いた低摩擦のカード保護部材をその舌片部を持ってカード取出口から引き出すだけで、セットの準備を終え、カード収容装置を容易にセットすることができる。
【図面の簡単な説明】
【図１】本発明の一つの実施形態のカードカートリッジ（カートリッジ）を示す側面図である。
【図２】図１のＡ−Ａ’断面図である。
【図３】このカートリッジに用いられているスペーサを示す図（図１のＢ−Ｂ’断面図）である。
【図４】このカートリッジの鋸状の係止部と係合部との係合状態を示す拡大図（図１のＣ部拡大図）である。
【符号の説明】
Ｚ…プリペイドカード、１…カートリッジ、２…係止部、３…カード押さえ部材、４…係合部、５、６…スペーサ、６ａ…舌片部、６ｂ…引き出し用の穴、７…カード用おもり。
【図１】
0003970409.tif 000002
【図２】
0003970409.tif 000003
【図３】
0003970409.tif 000004
【図４】
0003970409.tif 000005